(57)【特許請求の範囲】
【請求項１】
光が透過する指示部と受光部を有する基部とを備えた指針と、
この指針を照明するために前記受光部の下方に複数設けられた指針照明用光源と、
前記受光部と前記指針照明用光源との間に設けられる円柱状の導光体と、
を備え、
前記導光体は、前記指針照明用光源側に前記指針照明用光源からの光を集光し前記指針照明用光源に対して断面形状が凸状に形成される光受光部を前記指針照明用光源一つに対して複数備え、前記指針側に指針に光を供給する光射出部を備えることを特徴とする指針の照明構造。
【請求項２】
前記光射出部は、凸状に形成され前記指針照明用光源一つに対して複数設けられることを特徴とする請求項１に記載の指針の照明構造。
【請求項３】
光が透過する指示部を備えた指針と、
この指針を照明するために複数設けられた指針照明用光源と、
指針と指針照明用光源との間に設けられた導光体と、
を備え、
この導光体の指針側に、指針照明用光源からの光を集光させる光射出部を前記指針照明用光源１つに対して複数設けたことを特徴とする指針の照明構造。
【請求項４】
前記光射出部を凸状に形成したことを特徴とする請求項３記載の指針の照明構造。
【発明の詳細な説明】
【０００１】
【発明の属する技術分野】
本発明は、たとえば車両等の指針を用いた計器装置に用いられる指針の照明構造に関する。
【０００２】
【従来の技術】
従来、指針の照明構造は、例えば、特開平７−２３９２５２号公報に示されているように、指針の基部下方に、複数の指針照明用光源を指針軸を中心とした同心円上に配置し、指針を照明していた。
【０００３】
【発明が解決しようとする課題】
前記指針の照明構造においては、充分な指針の輝度を得るため、または指針の回転に伴う指針の照明ムラを防止するために、指針照明用光源を多数必要としていた。このため、このような指針の照明構造は高価であり、安価な指針の照明構造を提供することができなかった。
【０００４】
そこで、本発明は前記従来の問題点を解決するためになされたもので、その目的は、指針照明用光源の削減による安価な指針の照明構造を提供するものである。
【０００５】
【課題を解決するための手段】
本発明は前記目的を達成するため、光が透過する指示部と受光部を有する基部とを備えた指針と、この指針を照明するために前記受光部の下方に複数設けられた指針照明用光源と、前記受光部と前記指針照明用光源との間に設けられる円柱状の導光体と、を備え、前記導光体は、前記指針照明用光源側に前記指針照明用光源からの光を集光し前記指針照明用光源に対して断面形状が凸状に形成される光受光部を前記指針照明用光源一つに対して複数備え、前記指針側に指針に光を供給する光射出部を備えるものである。
【０００６】
また、前記導光体は、前記指針側に前記指針照明用光源からの光を集光する凸状の光射出部を前記指針照明用光源一つに対して複数備えるものである。
【０００７】
また、光が透過する指示部を備えた指針と、この指針を照明するために複数設けられた指針照明用光源と、指針と指針照明用光源との間に設けられた導光体とを備え、この導光体の指針側に、指針照明用光源からの光を集光させる光射出部を前記指針照明用光源１つに対して複数設けたものである。
【０００８】
また、前記光射出部を凸状に形成したものである。
【００１１】
【発明の実施の形態】
本発明の指針の照明構造は、光が透過する指示部２と受光部６を有する基部３とを備えた指針１と、この指針１を照明するために受光部６の下方に複数設けられた発光ダイオードと、受光部６と発光ダイオード１３との間に設けられる円柱状の導光体１１と、を備え、この円柱状導光体の発光ダイオード１３側に発光ダイオード１３からの光を集光し発光ダイオード１３に対して断面形状が凸状に形成される光受光部１９を発光ダイオード１３一つに対して複数設け、指針１側に指針１に光を供給する光射出部を設けたものである。このように構成したことにより、少ない発光ダイオード１３で充分な指針１の輝度を得ることができるとともに、指針１の回転に伴う指針１の照明ムラのない指針１の照明を行うことができる。また、導光体１１内での光の拡散を抑えて指針１に光を供給することができる。
【００１２】
このように構成したことにより、発光ダイオード１３からの光を凸状の光受光部１９で効率よく集光でき、少ない発光ダイオード１３で充分な指針１の輝度を得ることができるとともに、指針１の回転に伴う指針１の照明ムラのない指針１の照明を行うことができる。
【００１３】
また、光が透過する指示部２を備えた指針１と、この指針１を照明するために複数設けられた指針照明用光源である発光ダイオード１３と、指針１と発光ダイオード１３との間に設けられた導光体１１とを備え、この導光体１１の指針１側に、発光ダイオード１３からの光を集光させる光射出部２０を１つの発光ダイオード１３に対して複数設けたものである。このように構成したことにより、１つの発光ダイオード１３に対して複数の集光点を形成することができ、少ない発光ダイオード１３で充分な指針１の輝度を得ることができるとともに、指針１の回転に伴う指針１の照明ムラのない指針１の照明を行うことができる。また、指針１に近接した光射出部２０で集光するために、光の拡散を抑えて指針１に光を供給することができる。
【００１４】
また、光射出部２０を凸状に形成したものである。このように構成したことにより、発光ダイオード１３からの光を凸状の光射出部２０で効率よく集光でき、少ない発光ダイオード１３で充分な指針１の輝度を得ることができるとともに、指針１の回転に伴う指針１の照明ムラのない指針１の照明を行うことができる。
【００１７】
【実施例】
本発明の第１実施例を図１から図４を用いて説明する。１は指針であり、光が透過する合成樹脂からなる指示部２と基部３とを備えている。基部３は遮光性の黒色の合成樹脂からなる指針キャップ４と指針座５にて被われている。なお、指示部２の上面２ａは指針キャップ４から露出している。指針座５には４つの開口５ａが設けられており、この開口５ａには基部３に形成された４つの受光部６が嵌っている。この受光部６から指示部２を照明する光を受けて、指示部２内を光が透過して照明される。なお、指針座５には後述する指針軸が固定されるボス部７を備えている。
【００１８】
指針１の下方（図１中下側）には、合成樹脂からなる文字板８が設けられている。その前面には、指示部２が指示する目盛や文字などの図示しない指標部が形成されている。この文字板８の下方には、遮光性の白色の合成樹脂からなる中ケース９が設けられている。この中ケース９には円筒部１０が形成されている。この円筒部１０の上端側は、文字板８の開口８ａに嵌め込まれている。
【００１９】
中ケース９の円筒部１０には、円柱状の無色透明な合成樹脂からなる導光体１１が設けられている。この導光体１１は後述する指針軸１８が貫通する貫通孔１２を備えており、この貫通孔１２の上側は指針座５のボス部７を収納する円筒状のくぼみ１２ａを備えている。
【００２０】
導光体１２の下方には指針照明用光源として発光ダイオード１３が設けられている。この発光ダイオード１３はガラスエポキシ樹脂からなる硬質の第１の回路基板１４に図示しない半田で実装されている。第１の回路基板１４には後述する指針軸１８が貫通する孔１５が設けられており、発光ダイオード１３は孔１５の周囲に本実施例では４つ９０度間隔で設けられている。
【００２１】
第１の回路基板１４の下方には、ステッピングモータなどの計器駆動本体１６が設けられており、この計器駆動本体１６はガラスエポキシ樹脂からなる硬質の第２の回路基板１７に固定されている。計器駆動本体１６から指針軸１８が突出しており、指針軸１８の先端に指針１のボス部７が固定されている。
【００２２】
導光体１１は指針１と発光ダイオード１３との間に設けられており、発光ダイオード１３から発せられた光を指針１の受光部６に導くものである。発光ダイオード１３からの光をロスすることなく指針１に導くために、指針１の受光部６の下方に導光体１１と発光ダイオード１３が設けられている。なお、１３ａは発光ダイオード１３のリード線であり、第１の回路基板１４と発光ダイオード１３とを電気的に接続するものである。また、指針照明用光源に発光ダイオード１３を用いたことにより、指針照明用光源を小さくすることができ、ひいてはコンパクトな指針１の照明構造を提供することができる。
【００２３】
本実施例では、導光体１１の発光ダイオード１３側（図１中導光体１１の下側）に、１つの発光ダイオード１３に対して断面形状が凸状の光受光部１９を２つ備えている（図３参照）。１つの発光ダイオード１３に対して２つの光受光部１９を形成したことにより、図３中の光Ｒで示すように導光体２の指針１側に１つの発光ダイオード１３に対して、２つの集光した部分を形成することができるので、少ない発光ダイオード１３で、充分な指針１の照明の輝度を得ることができるとともに、指針１の回転に伴う照明ムラを抑えることができる。また、凸状の光受光部１９を形成したことにより、発光ダイオード１３からの発せられた光が、凸状の光受光部１９により集光され、導光体１１内で光が拡散することなく指針１に光を供給することができる。なお、本実施例では、１つの発光ダイオード１３に対して２つの光受光部１９を形成してあるが、本実施例に限定されるものではなく、適宜の数形成して良い。
【００２４】
次に本発明の第２実施例を図５を用いて説明する。なお、前記第１実施例と同一及び相当個所には同一符号を付してその詳細な説明は省略する。
【００２５】
本実施例では、導光体１１の指針１側（図５中導光体１１の上側）に、１つの発光ダイオード１３に対して断面形状が凸状の光射出部２０を２つ備えている。１つの発光ダイオード１３に対して２つの光射出部２０を形成したことにより、図５中の光Ｒで示すように導光体２の指針１側に１つの発光ダイオード１３に対して、２つの集光した部分を形成することができるので、少ない発光ダイオード１３で、充分な指針１の照明の輝度を得ることができるとともに、指針１の回転に伴う照明ムラを抑えることができる。また、指針１に近接した光射出部２０で集光されるので、指針１と導光体１１間での光の拡散を抑えて指針１に光を供給することができる。また、凸状の光射出部２０を形成したことにより、発光ダイオード１３からの発せられた光が、凸状の光射出部２０で効率よく集光でき、充分な指針１の輝度を得ることができる。なお、本実施例では、１つの発光ダイオード１３に対して２つの光射出部２０を形成してあるが、本実施例に限定されるものではなく、適宜の数形成して良い。
【００２６】
また、前記各実施例に記載のように、導光体１１の片側のみの構成に限定されるものではなく、図６の第３実施例に示すように、導光体１１に光受光部１９と光射出部２０をともに形成した構成としても良い。このように構成することにより、前記第１実施例と第２実施例の効果を得ることができる。
【００２７】
次に、本発明の第４実施例を図７を用いて説明する。なお、前記各実施例と同一及び相当個所には同一符号を付してその詳細な説明は省略する。
【００２８】
本実施例では、前記各実施例の発光ダイオード１３に換えて、チップ型の発光ダイオード２１で指針１を照明するものである。チップ型の発光ダイオード２１を用いることにより、前記各実施例の発光ダイオード１３に比べて、よりコンパクトになるとともに、第１の回路基板１４に発光ダイオード２１をリフローにより実装することができるので、半田槽を使用しなくとも良く環境問題に対しても対策を施した指針１の照明構造を提供することができる。また、前記各実施例のように第１の回路基板１４の裏面にリード線１３ａなどの突出物を無くすことができ、第１の回路基板１４と計器駆動本体１６とをより近接して配置することができ、コンパクトな指針１の照明構造を提供することができる。また、チップ型の発光ダイオード２１を用いることにより、第１の回路基板１４のチップ型の発光ダイオード２１を設けた裏面に計器駆動本体１６を固定することができ、第１の回路基板１４と計器駆動本体１６とを電気的に接続することにより、本実施例の第２の回路基板１７を廃止した構造を採用することもできる。このように構成することにより、部品点数を削減し、コストの削減を図ることができる。また、コンパクトな指針の照明構造を提供することができる。
【００２９】
次に本発明の第５実施例を図８を用いて説明する。なお、前記各実施例と同一及び相当個所には同一符号を付してその詳細な説明は省略する。
【００３０】
本実施例の文字板２２は、光透過性の合成樹脂からなる板状体の表面に、図示しない指標部を除いて遮光性の黒色の塗料で被われている。前記指標部は背後に設けられたチップ型の発光ダイオード２３により、導光板２４を介して透過照明される。チップ型の発光ダイオード２３は第１の回路基板１４にリフローにより半田付けされている。本実施例では、この導光板２４と導光体１１とを一体に形成したものである。このように構成することにより、文字板２２の照明用の導光板２４と指針１照明用の導光体１１とを一体に形成することができ、部品点数を削減することができ、安価な指針の照明構造を提供することができる。
【００３１】
【発明の効果】
以上、本発明により、初期の目的を達成することができ、指針照明用光源の削減により安価な指針の照明構造を提供することができる。また、安価でありながら、指針の回動に伴う照明の照明ムラを防止し均一な照明を行うことができる指針の照明構造を提供することもできる。
【図面の簡単な説明】
【図１】本発明の第１実施例の断面図である。
【図２】同実施例の導光体の下面図である。
【図３】同実施例の導光体の断面図である。
【図４】同実施例の指針の下面図である。
【図５】本発明の第２実施例の導光体の断面図である。
【図６】本発明の第３実施例の導光体の断面図である。
【図７】本発明の第４実施例の断面図である。
【図８】本発明の第５実施例の断面図である。
【符号の説明】
１    指針
２    指示部
１１    導光体
１３    発光ダイオード
１９    光受光部
２０    光射出部
２１    チップ型の発光ダイオード
【図１】
0004103979.tif 000002
【図２】
0004103979.tif 000003
【図３】
0004103979.tif 000004
【図４】
0004103979.tif 000005
【図５】
0004103979.tif 000006
【図６】
0004103979.tif 000007
【図７】
0004103979.tif 000008
【図８】
0004103979.tif 000009